(57)【要約】【課題】装置内部に保管される紙幣をより安全に他の場所に移すことができるようにする紙幣処理装置及び紙幣処理装置に入金された紙幣の包装方法を提供する。【解決手段】紙幣処理装置１００は、紙幣を入金する入金部３と、入金部３から入金された紙幣を計数する紙幣計数部５と、紙幣計数部５で計数された紙幣を保管する紙幣保管部１０とを備え、紙幣保管部１０は、紙幣が収納される紙幣収納袋７を保持可能な袋保持フレーム７０と、袋保持フレーム７０に保持される紙幣収納袋７を熱溶着によって密封する第一ヒータブロック１７ａ及び第二ヒータブロック１７ｂとを有する。また、ヒータアーム２２ａ，２２ｂ，３２ａ，３２ｂに取り付けられるベアリングアーム２３ａ，２３ｂ，３３ａ，３３ｂの押込みベアリング２５ａ，２５ｂは紙幣収納袋７が密封される前に、紙幣収納袋７の外側から紙幣を押さえ込む。【選択図】図１７
2019061609.tif 000002
【特許請求の範囲】
【請求項１】
紙幣を入金する入金部と、
前記入金部から入金された紙幣を計数する紙幣計数部と、
前記紙幣計数部で計数された紙幣を保管する紙幣保管部とを備え、
前記紙幣保管部は、
前記紙幣が収納される紙幣収納袋を保持可能な袋保持部と、
前記袋保持部に保持される前記紙幣収納袋を熱溶着によって密封する熱溶着部とを有する紙幣処理装置。
【請求項２】
前記熱溶着部は、前記紙幣保管部に対して回動可能に設けられる一対のヒータ部を有し、
前記ヒータ部の各々には、押込みベアリングを有するベアリング部が回動可能に設けられ、
前記ベアリング部の前記押込みベアリングは前記紙幣収納袋の外側から前記紙幣収納袋に収納される前記紙幣を押さえ込み、
前記一対のヒータ部の各々は、前記押込みベアリングを支点にして互いに近づくように回動するとともに前記紙幣収納袋を間に挟み込んで熱溶着する請求項１に記載の紙幣処理装置。
【請求項３】
前記紙幣を下方に押圧して前記紙幣収納袋の内部に押し込む押込みプレートをさらに備え、
前記押込みベアリングは、前記押込みプレートが前記紙幣を押圧している状態で、前記紙幣収納袋の外側から前記紙幣収納袋に収納される前記紙幣を押さえ込む請求項２に記載の紙幣処理装置。
【請求項４】
密封された前記紙幣収納袋に熱風を吹き付けて、前記紙幣収納袋を熱収縮させる熱風送り機構をさらに備える請求項１〜３のいずれか一項に記載の紙幣処理装置。
【請求項５】
紙幣処理装置に入金された紙幣を計数し、
計数された前記紙幣を、熱溶着性を有するフィルムにより形成される紙幣収納袋に収納し、
前記紙幣が収納される前記紙幣収納袋を熱溶着によって密封する、紙幣処理装置に入金された紙幣の包装方法。
【請求項６】
前記紙幣収納袋は熱収縮性を有するフィルムから形成されており、
前記紙幣が収納されて密封された前記紙幣収納袋に熱風を吹き付けて前記紙幣収納袋を収縮させる、請求項５に記載の紙幣処理装置に入金された紙幣の包装方法。
【発明の詳細な説明】
【技術分野】
【０００１】
この発明は、紙幣処理装置及び紙幣処理装置に入金された紙幣の包装方法に関する。
【背景技術】
【０００２】
特許文献１の図１に示すように、従来の紙幣処理装置では、入金された紙幣を一時的に保管する際、紙幣を積み重ねて内部に設けられる金庫に直接保管していた。このように、紙幣処理装置に一時的に保管された紙幣は、管理者が手作業で取り出して本金庫に移し替えていた。
【０００３】
しかしながら、管理者が紙幣処理装置の内部の金庫から本金庫に紙幣を移し替える際に、移し替えの前後で現金の金額相違のおそれがあった。また、紙幣金庫に保管された紙幣を別の場所に輸送する際には、更に輸送用の別の金庫に入れ替えて運ぶ必要があった。この時、輸送用の金庫の内容量に比べて紙幣の量が少ない場合は、その分、金庫の内部に無駄なスペースが出来てしまうという問題があった。
【０００４】
これに対して、特許文献２に示すように、紙幣を収納袋に収納し、収納袋の開口を両面テープで封止する方法がとられることもあった。この場合は、紙幣を袋ごと本金庫に移したり、輸送用の金庫を用いずに収納袋に収納された紙幣を輸送したりすることができる。
【先行技術文献】
【特許文献】
【０００５】
【特許文献１】特開２００６−２５２４１３号公報
【特許文献２】特開２０１２−１７４１３４号公報
【発明の概要】
【発明が解決しようとする課題】
【０００６】
しかしながら、特許文献２に示されるように、紙幣が収納された収納袋の開口が両面テープで封止される場合、一度開封された後、再度貼り合わせて元の封止状態に戻すことも可能である。そのため、紙幣を移動させる前後で収納されている現金の金額相違が発生するおそれがあった。
【０００７】
この発明は、このような問題を解決するためになされ、装置内部に保管される紙幣をより安全に他の場所に移すことができるようにする紙幣処理装置及び紙幣処理装置に入金された紙幣の包装方法を提供することを目的とする。
【課題を解決するための手段】
【０００８】
上記の課題を解決するために、この発明に係る紙幣処理装置は、紙幣を入金する入金部と、入金部から入金された紙幣を計数する紙幣計数部と、紙幣計数部で計数された紙幣を保管する紙幣保管部とを備え、紙幣保管部は、紙幣が収納される紙幣収納袋を保持可能な袋保持部と、袋保持部に保持される紙幣収納袋を熱溶着によって密封する熱溶着部とを有する。
【０００９】
また、この発明に係る紙幣処理装置の熱溶着部は、紙幣保管部に対して回動可能に設けられる一対のヒータ部を有し、ヒータ部の各々には、押込みベアリングを有するベアリング部が回動可能に設けられ、ベアリング部の押込みベアリングは紙幣収納袋の外側から紙幣収納袋に収納される紙幣を押さえ込み、一対のヒータ部の各々は、押込みベアリングを支点にして互いに近づくように回動するとともに紙幣収納袋を間に挟み込んで熱溶着してもよい。
【００１０】
また、この発明に係る紙幣処理装置は、紙幣を下方に押圧して紙幣収納袋の内部に押し込む押込みプレートをさらに備え、押込みベアリングは、押込みプレートが紙幣を押圧している状態で、紙幣収納袋の外側から紙幣収納袋に収納される紙幣を押さえ込んでもよい。
【００１１】
さらに、この発明に係る紙幣処理装置は、密封された紙幣収納袋に熱風を吹き付けて、紙幣収納袋を熱収縮させる熱風送り機構をさらに備えてもよい。
【００１２】
さらに、この発明に係る紙幣処理装置に入金された紙幣の包装方法は、紙幣処理装置に入金された紙幣を計数し、計数された紙幣を、熱溶着性を有するフィルムにより形成される紙幣収納袋に収納し、紙幣が収納される紙幣収納袋を熱溶着によって密封する方法である。
【００１３】
また、この発明に係る紙幣処理装置に入金された紙幣の包装方法では、紙幣収納袋は熱収縮性を有するフィルムから形成されており、紙幣が収納されて密封された紙幣収納袋に熱風を吹き付けて紙幣収納袋を収縮させてもよい。
【発明の効果】
【００１４】
この発明に係る紙幣処理装置及び紙幣処理装置に入金された紙幣の包装方法によれば、装置内部に保管される紙幣をより安全に他の場所に移すことができる。
【図面の簡単な説明】
【００１５】
【図１】この発明の実施の形態に係る紙幣処理装置の外観を示す斜視図である。
【図２】図１に示す紙幣処理装置の紙幣処理ユニットを示す斜視図である。
【図３】図２に示す紙幣処理ユニットに設けられる紙幣保管部の外観を示す斜視図である。
【図４】図３に示す紙幣保管部から背面カバー、側面カバー及び金庫シャッターを取り外した状態を示す斜視図である。
【図５】図３に示す紙幣保管部から背面カバー及び側面カバーを取り外した状態を示す斜視図である。
【図６】図６（ｉ）の側面図及び図６（ｉｉ）の斜視図は、図３に示す紙幣保管部のヒータアームが原点位置にある状態を模式的に示す図である。
【図７】図３に示す紙幣保管部に設けられる袋保持フレームと、袋保持フレームに保持される紙幣収納袋とを示す斜視図である。
【図８】図８（ｉ）は図７に示す袋保持フレームの斜視図であり、図８（ｉｉ）は図７に示す紙幣収納袋の斜視図である。
【図９】図８（ｉ）に示す袋保持フレームを切断線ＩＸ−ＩＸで切断した様子を示す断面図である。
【図１０】図３に示す紙幣保管部での紙幣の包装の手順を示す図であり、紙幣収納袋を袋保持フレームに取付ける工程を示す。
【図１１】図３に示す紙幣保管部での紙幣の包装の手順を示す図であり、計数された紙幣を金庫シャッターの上に一時的に載置する工程を示す。
【図１２】図３に示す紙幣保管部での紙幣の包装の手順を示す図であり、金庫シャッターを開状態にし、紙幣束をストッパアームの上に載置する工程を示す。
【図１３】図３に示す紙幣保管部での紙幣の包装の手順を示す図であり、押込みプレートを下降させて紙幣束を押圧しつつ、ストッパアームを押し下げる工程を示す。
【図１４】図３に示す紙幣保管部での紙幣の包装の手順を示す図であり、押込みプレートをさらに下降させて紙幣束を押圧するとともに、ストッパアームが原点位置に移動する工程を示す。
【図１５】図３に示す紙幣保管部での紙幣の包装の手順を示す図であり、ヒータアームを回動させて、一対のベアリング部によって紙幣収納袋の外側から紙幣束を押さえ込む工程を示す。
【図１６】図３に示す紙幣保管部での紙幣の包装の手順を示す図であり、押込みプレートを上昇させて原点位置に戻すとともに、一対のベアリング部によって紙幣収納袋の開口を仮止めする工程を示す。
【図１７】図３に示す紙幣保管部での紙幣の包装の手順を示す図であり、一対のヒータ部で紙幣収納袋を挟み込み、紙幣収納袋を密封する工程を示す。
【図１８】図３に示す紙幣保管部での紙幣の包装の手順を示す図であり、図１４に示す工程の後、押込みプレートを上昇させて原点位置に戻す工程を示す。
【図１９】図３に示す紙幣保管部での紙幣の包装の手順を示す図であり、図１８に示す工程の後、さらに紙幣がストッパアームの下側に当接するまで積載する工程を示す。
【図２０】図６に示す紙幣保管部のヒータ部の動作を示す図であり、一対のヒータ部を、図６（ｉ）及び（ｉｉ）に示す原点位置から下向きに回動させた状態を示す。
【図２１】図６に示す紙幣保管部のヒータ部の動作を示す図であり、一対のヒータ部が図２０に示すように回動した後、ベアリング部を互いに当接させる状態を示す。
【図２２】図６に示す紙幣保管部のヒータ部の動作を示す図であり、図２１に示すようにベアリング部が互いに当接した後、一対のヒータ部を互いに当接させる状態を示す。
【発明を実施するための形態】
【００１６】
以下、この発明の実施の形態について添付図面に基づいて説明する。
図１に示すように、紙幣処理装置１００は、装置本体１を有する。装置本体１には、正面パネル１ａが開閉可能に取り付けられている。また、装置本体１の上部には使用者が操作するための操作モニタ２が設けられる。さらに、操作モニタ２の手前には入金部３が設けられる。またさらに、装置本体１には、入金部３の下方に紙幣取出口４が設けられる。紙幣取出口４は通常は取出口扉４ａによって閉鎖されている。ここで、紙幣の処理工程の途中において使用者によってキャンセルの操作が行われた時には、紙幣取出口４の取出口扉４ａが開き、装置本体１の内部から処理途中の紙幣を取り出すことができるものとする。なお、正面パネル１ａ及び取出口扉４ａには電磁ロックが実装されている。そのため、紙幣処理装置１００に入金された紙幣の包装が完了するまでは正面パネル１ａを開けることが出来ず、また、使用者によって紙幣の処理をキャンセルする操作が行われるまでは取出口扉４ａを開けることはできない。また、正面パネル１ａ及び取出口扉４ａが閉まっていないと、紙幣処理装置１００は紙幣の計数を開始することができないようになっている。
なお、以下の説明において、紙幣処理装置１００を使用者が操作する側を正面側Ｆとし、その反対側を背面側Ｂとする。また、正面側Ｆから見て左右の方向を幅方向Ｗとする。
【００１７】
また、図２に示すように、紙幣処理装置１００は、装置本体１の内部に、入金部３から入金された紙幣を処理する紙幣処理ユニット１１０を有する。紙幣処理ユニット１１０は、入金された紙幣を内部に設けられるセンサ（図示せず）によって計数する紙幣計数部５と、計数された紙幣を保管する紙幣保管部１０とを有している。
【００１８】
さらに図３に示すように、紙幣保管部１０は函状の金庫であり、紙幣保管部１０の両側面及び背面側Ｂの各々には側面カバー１３及び背面カバー１２が着脱可能に取り付けられている。ここで、背面カバー１２には略円形の通風孔１２ａが形成される。また、紙幣保管部１０の背面側Ｂには通風孔１２ａに熱風Ｈを送り込むための熱風送り機構９が設けられる。またさらに、紙幣保管部１０の上部にはスライド式の金庫シャッター１１が開閉可能に設けられている。
【００１９】
また、図４は、図３に示す紙幣保管部１０から側面カバー１３及び背面カバー１２を取り外した状態を示している。ここで、図４には、紙幣保管部１０の筐体１４が表されている。筐体１４の背面側Ｂには上下方向に並ぶ背面側空気流通孔１４ａが形成される。また、筐体１４の両側面には複数の側面側空気流通孔１４ｂが形成される。
【００２０】
ここで、図４に示すように、紙幣保管部１０は一方の側面の上部に第一ヒータアーム駆動機構２０を有している。第一ヒータアーム駆動機構２０は、紙幣保管部１０の筐体１４に取り付けられて互いに噛み合う一対のヒータアーム駆動ギヤ２１ａ，２１ｂを有する。一対のヒータアーム駆動ギヤ２１ａ，２１ｂには、各々、ヒータアーム２２ａ，２２ｂが取り付けられる。また、筐体１４の側面にはヒータアーム２２ａ，２２ｂの可動範囲を確定する略円弧形状のガイド孔８が形成される。すなわち、ヒータアーム２２ａ，２２ｂはガイド孔８に沿って回動する。また、正面側Ｆ寄りのヒータアーム駆動ギヤ２１ａには原点センサ２９ａ及び原点スリットディスク２９ｂが設けられている。この原点センサ２９ａが原点スリットディスク２９ｂに形成される凹部を検出した場合に、ヒータアーム２２ａ，２２ｂが原点位置にあることが検知される。なお、ヒータアーム２２ａ，２２ｂの原点位置は、図４に示すように、ヒータアーム２２ａがガイド孔８の上端に当接する位置である。また、背面側Ｂ寄りのヒータアーム駆動ギヤ２１ｂには駆動ベルト２７が架け渡されている。また、紙幣保管部１０の背面側Ｂの上部には、駆動モータ２８が設けられており、駆動モータ２８の駆動プーリ２８ａは駆動ベルト２７に係合する。さらにまた、駆動ベルト２７には連結プーリ２４が係合する。
【００２１】
一方、図５に示すように、紙幣保管部１０は他方の側面の上部にも、第一ヒータアーム駆動機構２０と同様に、第二ヒータアーム駆動機構３０を有している。第二ヒータアーム駆動機構３０は、紙幣保管部１０の筐体１４に取り付けられて互いに噛み合う一対のヒータアーム駆動ギヤ３１ａ，３１ｂを有する。ヒータアーム駆動ギヤ３１ａ，３１ｂには、各々、ヒータアーム３２ａ，３２ｂが取り付けられる。なお、ヒータアーム３２ａ，３２ｂは、ヒータアーム２２ａ，２２ｂと同様に、筐体１４に形成されるガイド孔８に沿って回動する。さらに、正面側Ｆ寄りのヒータアーム駆動ギヤ３１ａには、エンコーダセンサ３９ａ及びスリットディスク３９ｂが設けられている。エンコーダセンサ３９ａはスリットディスク３９ｂのパルスをカウントすることにより、ヒータアーム３２ａ，３２ｂの位置を検出する。また、エンコーダセンサ３９ａによって検出されるヒータアーム３２ａ，３２ｂの位置情報に基づいて、ヒータアーム３２ａ，３２ｂは、適宜、目的のカウント位置まで回動した後、停止させることもできる。さらに、背面側Ｂ寄りのヒータアーム駆動ギヤ３１ｂには駆動ベルト３７が架け渡されている。駆動ベルト３７には連結プーリ３４が係合する。ここで、図４に示すように、紙幣保管部１０の一方の側面に設けられる第一ヒータアーム駆動機構２０の連結プーリ２４と他方の側面に設けられる第二ヒータアーム駆動機構３０の連結プーリ３４とは駆動シャフト４４によって連結されている。
なお、駆動モータ２８の駆動により、駆動ベルト２７，３７及び駆動シャフト４４を介してヒータアーム２２ａ，２２ｂ，３２ａ，３２ｂを回動させることができる。
【００２２】
さらに、図４及び５に示すように、紙幣保管部１０の背面側Ｂには左右に一対のエレベータスプリング４１が取り付けられている。各々のエレベータスプリング４１は背面側プーリ４１ａに架けられる。また、エレベータスプリング４１の一端は紙幣保管部１０の内部に設けられるエレベータ５３に固定されている（図１０参照）。さらに、エレベータスプリング４１の他端は紙幣保管部１０の下部に固定される。
【００２３】
また、図５に示すように、金庫シャッター１１の下面側にはラックギヤ４６ａが設けられる。さらに、紙幣保管部１０の背面側Ｂの上部にはラックギヤ４６ａに係合するラックピニオン４６ｂが設けられる。ラックピニオン４６ｂには、ラックピニオン４６ｂを回転駆動するピニオンモータ４５が接続される。ピニオンモータ４５によってラックピニオン４６ｂが回転駆動されることにより、ラックギヤ４６ａを介して金庫シャッター１１が開閉する。
【００２４】
さらに、第一ヒータアーム駆動機構２０及び第二ヒータアーム駆動機構３０のより詳細な構造について、図６を用いて説明する。
図６（ｉ）に示すように、第二ヒータアーム駆動機構３０のヒータアーム３２ａ，３２ｂの各々にはベアリングアーム３３ａ，３３ｂが回動可能に取り付けられる。ベアリングアーム３３ａ，３３ｂには内側に突出する回り止め部３６が形成される。ここで、ヒータアーム３２ａ，３２ｂが原点位置にある時、ベアリングアーム３３ａ，３３ｂの回り止め部３６はヒータアーム３２ａ，３２ｂに当接し、ヒータアーム３２ａ，３２ｂとベアリングアーム３３ａ，３３ｂとの間の角度は略直角に保たれている。また、ベアリングアーム３３ａ，３３ｂの外側の端部は、各々、ヒータアーム３２ａ，３２ｂにベアリングスプリング１９によって連結される。また、筐体１４に形成される略円弧形状のガイド孔８の最下部には、下方向に突出したガイド突起部８ａが形成されている。
なお、第一ヒータアーム駆動機構２０も、図６（ｉ）に示す第二ヒータアーム駆動機構３０と同様の構造であり、同様に、ベアリングアーム２３ａ，２３ｂを有するものとする。
【００２５】
また、図６（ｉｉ）に示すように、ヒータアーム２２ａ，３２ａの間には幅方向Ｗに延長する第一ヒータブロック１７ａが設けられ、ヒータアーム２２ｂ，３２ｂの間には幅方向Ｗに延長する第二ヒータブロック１７ｂが設けられる。図６（ｉ）に示すように、第一ヒータブロック１７ａは凸部１７ｃを有しており、第二ヒータブロック１７ｂは凹部１７ｄを有している。第一ヒータブロック１７ａの凸部１７ｃと第二ヒータブロック１７ｂの凹部１７ｄは互いに係合可能である。また、第一ヒータブロック１７ａ及び第二ヒータブロック１７ｂの内部にはヒータ（図示せず）及び熱電対（図示せず）が設けられており、適宜、第一ヒータブロック１７ａ及び第二ヒータブロック１７ｂの温度管理が行われている。また、ベアリングアーム２３ａ，３３ａの間には幅方向Ｗに延長するベアリングシャフト３５ａが設けられ、ベアリングアーム２３ｂ，３３ｂの間には幅方向Ｗに延長するベアリングシャフト３５ｂが設けられる。ベアリングシャフト３５ａ、３５ｂの各々には、略等間隔に５個ずつ並んだ押込みベアリング２５ａ，２５ｂが取り付けられている。ここで、対向する５対の押込みベアリング２５ａ，２５ｂは互いに当接可能となるように配置される。
なお、第一ヒータブロック１７ａ、第二ヒータブロック１７ｂ及びヒータアーム２２ａ，２２ｂ，３２ａ，３２ｂは、熱溶着部としての一対のヒータ部を構成する。
また、押込みベアリング２５ａ，２５ｂ、ベアリングシャフト３５ａ、３５ｂ及びベアリングアーム２３ａ，２３ｂ，３３ａ，３３ｂは一対のベアリング部を構成する。
【００２６】
また、図６（ｉｉ）に示すように、第一ヒータブロック１７ａ及び第二ヒータブロック１７ｂよりも内側には、幅方向Ｗに延びる一対のストッパシャフト１５ａが設けられる。各々のストッパシャフト１５ａには３個ずつ等間隔に並んだストッパアーム１５が内側に突出して設けられている。ストッパアーム１５はストッパシャフト１５ａを介して回動可能に設けられている。また、ストッパシャフト１５ａにはトーションスプリング１５ｂが取り付けられており、トーションスプリング１５ｂはストッパアーム１５を上向きに回動する方向に付勢している。
【００２７】
次に、紙幣保管部１０の内部に取り付けられる袋保持フレーム７０の詳細な構造について図７〜９を参照して説明する。
図７及び図８（ｉ）に示すように、袋保持フレーム７０は略矩形の枠形状の金属製フレームである。図７〜９に示すように、袋保持フレーム７０は、蝶番７１ａを介して回動可能に取り付けられるクランププレート７１と、袋保持フレーム７０の内側の突出して設けられる複数の突出部７２とを有する。また、図８（ｉｉ）に示すように、袋保持フレーム７０に保持される紙幣収納袋７には、開口の縁に沿って複数の取付孔７４が形成されている。紙幣収納袋７に形成される取付孔７４の位置は、袋保持フレーム７０の突出部７２に対応する。そして、紙幣収納袋７の取付孔７４が袋保持フレーム７０の突出部７２に係合され、クランププレート７１で挟み込まれることにより、図７に示すように紙幣収納袋７は袋保持フレーム７０に取り付けられる。
なお、袋保持フレーム７０は袋保持部を構成する。
また、紙幣収納袋７は、いわゆるビニール袋であり、熱溶着性及び熱収縮性を有する樹脂フィルムによって形成されるものとする。
【００２８】
また、図１０を用いて紙幣保管部１０の内部構造について説明する。
紙幣保管部１０の内部には袋保持フレーム７０を保持するフレーム保持部５４が設けられる。袋保持フレーム７０はフレーム保持部５４に着脱可能に取り付けられる。さらに、紙幣保管部１０の内部には、紙幣収納袋７を下から支持するエレベータ５３が設けられる。ここで、前述のように、エレベータ５３にはエレベータスプリング４１の一端が取り付けられている。エレベータ５３は紙幣収納袋７及び積載される紙幣の重量とエレベータスプリング４１の弾性力とが釣り合う位置に停止するものとする。また、紙幣保管部１０の下部には、金庫ニアフルセンサ５１及び金庫フルセンサ５２が設けられる。金庫ニアフルセンサ５１及び金庫フルセンサ５２は透過型の光電センサである。従って、エレベータ５３の下端が金庫ニアフルセンサ５１の位置よりも下に移動した時、金庫ニアフルセンサ５１は紙幣保管部１０の内部の紙幣保管スペースの残りが少ないことを検知する。また、エレベータ５３の下端が金庫フルセンサ５２の位置よりも下に移動した時、金庫フルセンサ５２は、紙幣保管部１０の内部の紙幣の保管量が許容限界に達し、紙幣保管スペースが満杯になったことを検知する。また、紙幣保管部１０の金庫シャッター１１の上には計数が完了した紙幣を一時的に貯留する紙幣ストッカ６が設けられる。また、紙幣ストッカ６の上部には、上下方向に伸縮可能な押込みアーム１８ａに取り付けられた押込みプレート１８が設けられている。
【００２９】
次に、図１０〜１９を参照して、紙幣処理装置１００に入金された紙幣の包装方法について説明する。
まず、図１０に示すように、紙幣収納袋７を取り付けた状態の袋保持フレーム７０をフレーム保持部５４にセットする。これにより、図１１に示すように、紙幣収納袋７の底部はエレベータ５３の上に載置された状態となる。
【００３０】
次に、図１１に示すように、金庫シャッター１１が閉められた状態で、紙幣ストッカ６に計数が終わった紙幣が送り込まれてくる。紙幣ストッカ６の内側に積載される複数枚の紙幣は、紙幣束Ｓとなる。
【００３１】
次に、紙幣処理装置１００に入金された紙幣の計数が完了したことが確認されると、使用者が紙幣処理装置１００の操作モニタ２を操作して、紙幣束Ｓの包装の指示を入力する。これによって、図１２に示すように、金庫シャッター１１を開けて積載された紙幣束Ｓを下方に落とし、ストッパアーム１５の上に載置する。そして、図１３に示すように、押込みアーム１８ａが下方向に伸びるように動作し、これに伴って押込みプレート１８は下降しつつ、エレベータ５３ごと紙幣束Ｓを押圧して押し下げる。この時、ストッパアーム１５は押込みプレート１８に押されて下向きに回動する。これにより、紙幣束Ｓは紙幣収納袋７の内部に落とし込まれ、収納される。
【００３２】
次に、図１４に示すように、押込みプレート１８がさらに下方向に移動すると、ストッパアーム１５を押し広げていた押込みプレート１８がストッパアーム１５から離れる。これにより、ストッパアーム１５はトーションスプリング１５ｂの付勢力に従って上方向に回動して原点位置に戻る。
【００３３】
さらに次に、図１５に示すように、押込みプレートによって紙幣束Ｓを押圧した状態で、ヒータアーム２２ａ，２２ｂ，３２ａ，３２ｂを下方向に回動させる。これにより、ヒータアーム２２ａ，２２ｂ，３２ａ，３２ｂと一体的に回動する押込みベアリング２５ａ，２５ｂが、押込みプレート１８に押圧された状態の紙幣束Ｓを紙幣収納袋７の外側から押さえ込む。この時、紙幣収納袋７の樹脂フィルムは、押込みプレート１８と押込みベアリング２５ａ，２５ｂとの間で挟み込まれた状態となる。
【００３４】
次に、図１６に示すように、押込みプレート１８を上昇させるように移動させ、原点位置に戻す。これにより、押込みプレート１８が紙幣束Ｓから離れるとともに、ヒータアーム２２ａ，２２ｂ，３２ａ，３２ｂがさらに下方向に回動して、押込みベアリング２５ａ，２５ｂ同士が互いに近接する方向に移動し、紙幣収納袋７を間に挟み込む。すなわち、紙幣収納袋７の開口は押込みベアリング２５ａ，２５ｂによって仮止めされる。なお、この時、押込みベアリング２５ａ，２５ｂは紙幣束Ｓを紙幣収納袋７の外側から押さえ込んだ状態を保っている。
【００３５】
さらに次に、図１７に示すように、押込みベアリング２５ａ，２５ｂを支点にしてベアリングアーム２３ａ，２３ｂ，３３ａ，３３ｂを回動させる。これに伴って、第一ヒータブロック１７ａ及び第二ヒータブロック１７ｂも押込みベアリング２５ａ，２５ｂを支点に互いに近づくように回動し、第一ヒータブロック１７ａと第二ヒータブロック１７ｂとの間には紙幣収納袋７が挟み込まれる。そして、紙幣収納袋７は第一ヒータブロック１７ａ及び第二ヒータブロック１７ｂによって熱溶着されて密封される。その後、紙幣収納袋７は熱風送り機構９により熱風Ｈを吹き付けられて熱収縮する。なお、熱風Ｈは、図３に示すように背面カバー１２の通風孔１２ａを流通し、その後、図４に示すように紙幣保管部１０の背面側空気流通孔１４ａ及び側面側空気流通孔１４ｂから紙幣保管部１０の内部に流入する。
【００３６】
そして、紙幣束Ｓが紙幣収納袋７に収納された状態で密閉されて包装された後は、図１に示す正面パネル１ａが開放され、使用者は手でエレベータ５３を押さえながら紙幣収納袋７に収納された紙幣束Ｓを袋保持フレーム７０ごと抜き取る。また、この際、紙幣束Ｓの紙幣の枚数及び金額が記載されたシールを、装置本体１の内部に設けられたシールプリンタ（図示せず）から印刷し、紙幣収納袋７に貼り付けることができる。
【００３７】
また、図１３に示す工程の後、図１８に示すように、ヒータアーム２２ａ，２２ｂ，３２ａ，３２ｂを回動させない状態で、押込みプレート１８を上昇させ、一旦、原点位置に戻してもよい。そしてその後、さらに計数を行った紙幣を、図１０〜１２と同様の手順を繰り返し、紙幣収納袋７の内側の紙幣束Ｓの上に積み重ねていく。ここで、積載された紙幣の量が多くなる場合、又は積載された紙幣束Ｓの中に膨らんだ紙幣が多い場合は、図１９に示すように、紙幣束Ｓの上端がストッパアーム１５の下側に接触するようになる。この時、積載される紙幣の量が更に増えると、エレベータ５３が増えた紙幣の量に応じて下降しつつ、ストッパアーム１５とエレベータ５３との間で紙幣束Ｓが挟み込まれるように保持される。なお、エレベータ５３によって金庫ニアフルセンサ５１及び金庫フルセンサ５２が遮光された時は、次回の紙幣の計数は行われず、図１５〜１７に示すような紙幣束Ｓの密封動作が行われる。また、エレベータ５３によって金庫ニアフルセンサ５１のみ遮光された場合は、次回の紙幣の計数及び積載を終えた後、紙幣束Ｓの密封動作が行われる。
【００３８】
次に、ヒータアーム２２ａ，２２ｂ，３２ａ，３２ｂ及びベアリングアーム２３ａ，２３ｂ，３３ａ，３３ｂの詳細な動作について、図６及び図２０〜２２を用いて説明する。
まず、図６に示すように、動作前のヒータアーム２２ａ，２２ｂ，３２ａ，３２ｂは原点位置にある。
【００３９】
そして、使用者が紙幣処理装置１００の操作モニタ２を操作して、紙幣束Ｓの包装の指示を入力すると、図２０に示すように、ヒータアーム２２ａ，２２ｂ，３２ａ，３２ｂは下向きに回動を開始する。
【００４０】
そして次に、図２１に示すように、ヒータアーム２２ａ，２２ｂ，３２ａ，３２ｂを下向きにさらに回動させる。これにより、ベアリングアーム２３ａ，２３ｂ，３３ａ，３３ｂの端部がガイド突起部８ａに沿って移動するとともに、押込みベアリング２５ａ，２５ｂ同士が互いに当接する。この時、押込みベアリング２５ａ，２５ｂの間に紙幣収納袋７が挟み込まれるものとする。なお、ガイド突起部８ａに沿ってベアリングアーム２３ａ，２３ｂ，３３ａ，３３ｂの移動が案内されることにより、第一ヒータブロック１７ａと第二ヒータブロック１７ｂとの間には適度な距離が保たれる。従って、紙幣収納袋７を密封するよりも前に、紙幣収納袋７が第一ヒータブロック１７ａ及び第二ヒータブロック１７ｂから熱の影響を受けることを防止することができる。
【００４１】
そして、図２２に示すように、押込みベアリング２５ａ，２５ｂを支点として第一ヒータブロック１７ａ及び第二ヒータブロック１７ｂをさらに互いに近づくように回動させる。これによって、第一ヒータブロック１７ａと第二ヒータブロック１７ｂとが互いに係合する。そしてこの時、第一ヒータブロック１７ａと第二ヒータブロック１７ｂとの間に挟み込まれた紙幣収納袋７は熱溶着によって密封されるものとする。
【００４２】
以上より、この実施の形態に係る紙幣処理装置１００及び紙幣処理装置１００に入金された紙幣の包装方法では、紙幣処理装置１００が第一ヒータブロック１７ａ及び第二ヒータブロック１７ｂを有し、紙幣が収納される紙幣収納袋７を熱溶着により密封する。このように、熱溶着性を有する樹脂フィルムによって形成される紙幣収納袋７を熱溶着によって密封すると、人の手で一度開封した後で再び元のように封をすることができない。そのため、紙幣処理装置１００に保管された紙幣を本金庫に移す際に、何者かが意図的に紙幣収納袋７を開封することは実施的にできないことになる。よって、紙幣処理装置１００に保管される紙幣は、現金相違のおそれなく、紙幣収納袋７に収納された状態で安全に別の場所に移すことができる。また、紙幣を遠隔の場所に移送する際にも、紙幣収納袋７ごと安全に移動させることができるので、輸送用金庫が不要となる。さらに、一取引毎に紙幣束Ｓをパッキングして包装することができるため、紙幣の管理をしやすいという利点もある。
【００４３】
また、押込みベアリング２５ａ，２５ｂは、紙幣束Ｓを包装する際に、紙幣収納袋７の外側から紙幣収納袋７に収納される紙幣束Ｓを押さえ込む。これによって、紙幣収納袋７を熱溶着によって密封した時に発生する紙幣収納袋７のたるみを防止することができる。さらに、図１５に示すように、押込みプレート１８が紙幣を押圧すると同時に、押込みベアリング２５ａ，２５ｂが紙幣収納袋７の外側から紙幣を押さえ込むことで、さらに確実に紙幣収納袋７のたるみを防止することができる。
【００４４】
さらに、図３に示すように、熱風送り機構９が、熱収縮性を有するフィルムによって形成される紙幣収納袋７に熱風Ｈを吹き付けて、紙幣収納袋７を熱収縮させることにより、紙幣収納袋７を紙幣束Ｓに密着させて紙幣収納袋７のたるみを解消することができる。
また、紙幣収納袋７は樹脂フィルムによって形成される、いわゆるビニール袋であるため、安価かつ使い捨てが可能である。従って、消耗による故障等の問題も発生しない。
【００４５】
なお、この実施の形態において、紙幣が収納される紙幣収納袋７は熱風Ｈを吹き付けられることで熱収縮するが、これに限定されず、紙幣収納袋７を熱収縮させない状態で紙幣の包装を完了させてもよい。
また、紙幣保管部１０に設けられる第一ヒータブロック１７ａ及び第二ヒータブロック１７ｂは、各々、凸部１７ｃ及び凹部１７ｄを有しているが、第一ヒータブロック１７ａ及び第二ヒータブロック１７ｂの形状はこれに限定されない。すなわち、第一ヒータブロック１７ａと第二ヒータブロック１７ｂとが互いに係合可能な形状であれば、凸部１７ｃ及び凹部１７ｄを有しないその他の形状であってもよい。
【符号の説明】
【００４６】
３  入金部、５  紙幣計数部、７  紙幣収納袋、９  熱風送り機構、１０  紙幣保管部、１７ａ  第一ヒータブロック（熱溶着部、ヒータ部）、１７ｂ  第二ヒータブロック（熱溶着部、ヒータ部）、１８  押込みプレート、２２ａ，２２ｂ，３２ａ，３２ｂ  ヒータアーム（熱溶着部、ヒータ部）、２３ａ，２３ｂ，３３ａ，３３ｂ  ベアリングアーム（ベアリング部）、２５ａ，２５ｂ  押込みベアリング（ベアリング部）、３５ａ，３５ｂ  ベアリングシャフト（ベアリング部）、７０  袋保持フレーム（袋保持部）、１００  紙幣処理装置。
【図１】
2019061609.tif 000003
【図２】
2019061609.tif 000004
【図３】
2019061609.tif 000005
【図４】
2019061609.tif 000006
【図５】
2019061609.tif 000007
【図６】
2019061609.tif 000008
【図７】
2019061609.tif 000009
【図８】
2019061609.tif 000010
【図９】
2019061609.tif 000011
【図１０】
2019061609.tif 000012
【図１１】
2019061609.tif 000013
【図１２】
2019061609.tif 000014
【図１３】
2019061609.tif 000015
【図１４】
2019061609.tif 000016
【図１５】
2019061609.tif 000017
【図１６】
2019061609.tif 000018
【図１７】
2019061609.tif 000019
【図１８】
2019061609.tif 000020
【図１９】
2019061609.tif 000021
【図２０】
2019061609.tif 000022
【図２１】
2019061609.tif 000023
【図２２】
2019061609.tif 000024